(57)【要約】【課題】蓋と槽との間の密着性（圧着性）を向上させつつ、蓋を槽に容易に装着することが可能な阻集器を提供すること。【解決手段】本発明に係る阻集器１００は、開口１１１が形成された槽１１０と、弾性材料により形成され槽１１０の開口１１１に隣接する周縁１１２の上に設けられたパッキン１１３と、槽１１０の周縁１１２に隣接する側面１１０Ｌを囲むことにより収容領域５０１を形成し、収容領域５０１と外部とを連通させる挿入口５０２をパッキン１１３に隣接するように形成する蓋押さえ金具１１４と、を具備する。蓋押さえ金具１１４は、開口１１１を覆う蓋１２０を挿入口５０２を介して収容領域５０１の内部に受け入れ、パッキン１１３を押圧した蓋１２０の上面１２０Ａを支持するように構成されている。【選択図】図５
2010248824.tif 000002
【特許請求の範囲】
【請求項１】
開口が形成された槽と、
弾性材料により形成され前記槽の前記開口に隣接する周縁の上に設けられた止水手段と、
前記槽の前記周縁に隣接する側面を囲むことにより該側面との間に収容領域を形成し、該収容領域と外部とを連通させる挿入口を前記止水手段に隣接する位置に形成した支持手段であって、前記開口を覆う蓋を前記挿入口を介して前記収容領域の内部に受け入れ、前記止水手段を押圧した状態の該蓋の上面を前記収容領域の内部において支持する、支持手段と、
を具備することを特徴とする阻集器。
【請求項２】
前記蓋が、相互に略平行に延びる平坦な上面及び下面を有し、
前記支持手段が、前記収容領域を囲み前記止水手段の上面よりも高い位置に配置され該上面と略平行に延びる平坦な内面を有し、
前記支持手段の前記内面が、前記止水手段を押圧した前記蓋の前記上面に当接して該上面を支持する、請求項１に記載の阻集器。
【請求項３】
前記蓋が、該蓋の下面に略垂直に延び平坦な上端面を有する起立部を含み、
前記支持手段が、前記収容領域を囲み前記止水手段の上面よりも高い位置に配置され該上面と略平行に延びる平坦な内面を有し、
前記支持手段の前記内面が、前記止水手段を押圧した前記蓋の前記上端面に当接して該上端面を支持する、請求項１に記載の阻集器。
【請求項４】
前記蓋が、該蓋の下面に交差する方向に延びる連絡部と、該連絡部と略垂直に該連絡部から延びる係合部と、含み、
前記支持手段が、前記収容領域を囲み前記止水手段の上面よりも低い位置に配置され該上面と略平行に延びる平坦な端面を有し、
前記支持手段の前記端面が、前記止水手段を押圧した前記蓋の前記係合部の上面に当接して該上面を支持する、請求項１に記載の阻集器。
【発明の詳細な説明】
【技術分野】
【０００１】
本発明は、阻集器に関し、特に阻集器の密閉構造に関する。
【背景技術】
【０００２】
従来から飲食店等の厨房において阻集器が利用されている。阻集器は、流し台（シンク）から排出された排水を取り込み、取り込んだ排水から油成分や固形成分等を除去し、これらの成分を除去した排水を下水溝に排出するものである。
【０００３】
阻集器は、通常、上面に開口が形成された槽に、開口を覆う蓋が取り付けられた構造を有しており、シンクの下に設けられた空間内に槽の背面を壁に近接させて設置（固定）される。阻集器は、このように設置された状態で蓋を着脱自在とするために、槽の開口に隣接する周縁のうち、後端側（すなわち壁に近接した側）に蝶番等の引掛金具が取り付けられ、前端側（すなわち後端側に対向する側）にキャッチクリップが取り付けられた構造を有する。この構造では、蓋の後端側に固定された蝶番を槽の後端側に取り付けられた蝶番に引っ掛け（係合させ）、これらの蝶番を中心軸として蓋を回動させて開口を覆った状態にし、槽の前端側に取り付けられたキャッチクリップを蓋の前端側に固定された受金に係合させることにより、蓋が槽に装着される。逆に、槽の前端側に取り付けられたキャッチクリップに蓋の受金を解放させ、槽の後端側に取り付けられた蝶番を中心軸にして蓋を回動させることにより、蓋が槽から外される。
【発明の概要】
【発明が解決しようとする課題】
【０００４】
しかしながら、上述した従来技術に係る阻集器には、次に述べるような問題がある。すなわち、まず、蓋が槽に装着された状態にあっては、蓋の前端側に固定された受金が槽の前端側に取り付けられたキャッチクリップにより固定されるため、蓋の前端側には、槽に向かうトルクが充分に作用する。ところが、蓋の後端側については、蓋の後端側に固定された蝶番が槽の後端側に取り付けられた蝶番によって支持されているに過ぎないため、蓋の後端側には、槽に向かうトルクが殆ど作用しない。これにより、蓋が槽に対して圧着されないため、槽の内部に蓄えられる排水の水位が上昇した場合に、槽（蓋）の後端側の周囲において、槽と蓋との間から排水の一部が吐水してしまうことがある。このように、上記従来技術に係る阻集器は、蓋と槽との間の密着性（圧着性）が低いという問題を有する。
【０００５】
さらに、上記従来技術に係る阻集器は、上述したように、通常、シンクの下に設けられた空間内に固定される。シンクの下に設けられた空間が狭い場合、すなわち、シンクの底面と阻集器の上面との間の距離が短い場合には、操作者が、蓋の後端側に固定された蝶番を槽の後端側に設けられた蝶番に引っ掛ける際に、蓋の下面と槽の上面との間にある程度の角度が形成されることに起因して、蓋が操作者の視界を遮ることになる。これにより、操作者は、蓋を槽に装着する際に、蓋を槽に引っ掛ける作業を目視により確認しながら実行することが困難となる。このように、上記従来技術に係る阻集器は、蓋を槽に容易に装着することができないという問題を有する。
【０００６】
本発明は、以上のような問題点に鑑みてなされたものであり、蓋と槽との間の密着性（圧着性）を向上させつつ、蓋を槽に容易に装着することが可能な阻集器を提供することを目的とする。
【課題を解決するための手段】
【０００７】
本発明に係る阻集器は、開口が形成された槽と、弾性材料により形成され前記槽の前記開口に隣接する周縁の上に設けられた止水手段と、前記槽の前記周縁に隣接する側面を囲むことにより該側面との間に収容領域を形成し、該収容領域と外部とを連通させる挿入口を前記止水手段に隣接するように形成する支持手段であって、前記開口を覆う蓋を前記挿入口を介して前記収容領域の内部に受け入れ、前記止水手段を押圧した該蓋の上面を支持する、支持手段と、を具備することを特徴とする。
【図面の簡単な説明】
【０００８】
【図１】図１は、本発明の実施の形態１に係る阻集器の構成を示す斜視図である。
【図２】図２（ａ）は、図１に示した阻集器を方向Ａからみた前面を示す図であり、図２（ｂ）は、図１に示した阻集器を方向Ｂからみた側面を示す図であり、図２（ｃ）は、図１に示した阻集器を方向Ｃから見た上面を示す図である。
【図３】図３は、図１に示した槽１１０の内部の構成をＸ-Ｘ'線に沿って示す断面図である。
【図４】図４は、図１に示した槽１１０をＹ-Ｙ'線に沿って示す断面図である。
【図５】図４に示した蓋押さえ金具１１４及びその周辺を拡大して示す断面図である。
【図６】図６は、図４に示したキャッチクリップ１１５及びその周辺を拡大して示す断面図である。
【図７】図７は、本発明の実施の形態２に係る阻集器の構成を示す断面図である。
【図８】図８は、図７に示した蓋押さえ金具７００及びその周辺を拡大して示す断面図である。
【図９】図９は、本発明の実施の形態３に係る阻集器の構成を示す断面図である。なお、図９には、蓋１２０の取手１２１の表現が省略されている。
【図１０】図１０は、図９に示した蓋押さえ金具９００及びその周辺を拡大して示す断面図である。
【発明を実施するための形態】
【０００９】
以下、添付図面を参照して本発明を説明する。なお、添付図面における同一の構成要素に対しては同一の参照符号が付される。
【００１０】
（実施の形態１）
図１は、本発明の実施の形態１に係る阻集器の構成を示す斜視図である。図２（ａ）は、図１に示した阻集器を方向Ａからみた前面を示す図であり、図２（ｂ）は、図１に示した阻集器を方向Ｂからみた側面を示す図であり、図２（ｃ）は、図１に示した阻集器を方向Ｃから見た上面を示す図である。
なお、説明の便宜上、図１には、槽１１０の内部構成を示すために、蓋１２０が槽１１０から外された様子が示されているが、図２（ａ）〜図２（ｃ）には、図１に示した蓋１２０が槽１１０に装着された状態が示されている。
【００１１】
本実施の形態に係る阻集器１００は、まず大きく分けると、槽１１０と、蓋１２０と、を有する。
【００１２】
（槽１１０の全体的な構成について）
まず、槽１１０の構成を説明する。
図１に示すように、槽１１０は全体として箱型の形状を有する。槽１１０の上面には、開口１１１が形成され、この開口１１１を介して槽１１０の内部と外部とが連通している。
【００１３】
槽１１０は、開口１１１に隣接した位置に略ロ字状に延設された周縁１１２を有する。周縁１１２の上には、止水部として機能するパッキン１１３が略ロ字状に延設されている。このパッキン１１３は弾性材料（例えばテフロン（登録商標）やシリコーン等の様々な弾性材料）により形成されている。
【００１４】
槽１１０の背面１１０ａには、蓋１２０を押さえる（圧着する）ように機能する蓋押さえ金具１１４が例えば溶接やビス止め等により固定されている。
槽１１０の前面１１０ｂには、図２（ｃ）に示すように、蓋１２０を槽１１０に固定するように機能するキャッチクリップ１１５が取り付けられている。
【００１５】
槽１１０の右側面１１０ｃ及び左側面１１０ｄには、それらの下方において、図１、図２（ａ）及び図２（ｃ）に示すように、略Ｌ字状の断面を有する固定部材１１６が取り付けられている。固定部材１１６の各々には、ネジ穴１１６ａが形成されている。このネジ穴１１６ａを貫通するネジ（図示せず）を用いて、槽１１０が床に固定される。
【００１６】
槽１１０の右側面１１０ｃには、図１及び図２に示すように、図示しないシンクからの排水を槽１１０の内部に取り入れる流入口１１７が形成されている。槽１１０の左側面１１０ｄには、図１及び図２に示すように、槽１１０により油成分及び固形成分等を除去した排水を図示しない排水溝に排出する流出口１１８が形成されている。
【００１７】
槽１１０の内部の構成をさらに図３を参照して説明する。図３は、図１に示した槽１１０の内部の構成をＸ-Ｘ'線に沿って示す断面図である。
槽１１０の内部は、仕切板１１０ｅ及び１１０ｆによって、大きく３つの部屋に、すなわち、部屋Ｒ１、Ｒ２及びＲ３に分けられている。
【００１８】
部屋Ｒ１には、捕集バスケット１１０ｇが配置されている。捕集バスケット１１０ｇは、流入口１１７から取り入れた排水から油成分や固形成分等を捕集し、これら以外の成分を通過させるものである。部屋Ｒ１と部屋Ｒ２とは、間隙Ｇ１を介して繋がっている。よって、捕集バスケット１１０ｇを通過した排水は、間隙Ｇ１を通って、部屋Ｒ２に流入する。
【００１９】
部屋Ｒ２において、仕切板１１０ｅと１１０ｆとの間には、仕切板１１０ｈが設けられている。この仕切板１１０ｈは、間隙Ｇ１を通って部屋Ｒ２に流入した排水が直接間隙Ｇ２を通って部屋Ｒ３に流入することを防止するために設けられている。部屋Ｒ２に流入した排水の中に依然として油成分が残っていたとしても、かかる油成分は水よりも比重が小さいために、水面付近まで浮き上がることになる。よって、油成分を除いた排水のみが、間隙Ｇ２を通って部屋Ｒ３に流入する。
【００２０】
部屋Ｒ３には、トラップ１１０ｉが配置されている。トラップ１１０ｉは、Ｔ字状に延設されたチーズ１１０ｉ1と、チーズ１１０ｉ1の下端１１０ｉ11に取り付けられたＵＶパイプ１１０ｉ2と、チーズ１１０ｉ1の上端すなわち掃除口１１０ｉ12に取り付けられた蓋１１０ｉ3と、チーズ１１０ｉ1の右端１１０ｉ13に取り付けられたＵＶパイプ１１０ｉ4と、ＵＶパイプ１１０ｉ4と流出口１１８との間に取り付けられたソケット１１０ｉ5と、を含む。トラップ１１０ｉのＵＶパイプ１１０ｉ2の内部に流入した排水が、チーズ１１０ｉ1、ＵＶパイプ１１０ｉ4及びソケット１１０ｉ5の内部を通って流出口１１８に到達し、流出口１１８を介して槽１１０の外部に排出される。
【００２１】
（蓋１２０の全体的な構成について）
次に、蓋１２０の構成を説明する。
蓋１２０は、図１及び図２に示すように、上面１２０ａと、上面１２０ａに垂直に延設された前面１２０ｂ、右側面１２０ｃ及び左側面１２０ｄと、を含む。図１に最もよく示されているように、蓋１２０は、背面が解放された構成、すなわち、背面を有しない構成を採っている。
【００２２】
図１に示すように、蓋１２０の上面１２０ａには、略コ字状に延設された例えば２つの取手１２１が取り付けられている。
蓋１２０の前面１２０ｂには、図２（ａ）及び図２（ｃ）に最もよく示されるように、受金１２２が固定されている。この受金は、槽１１０の前面１１０ｂに取り付けられたキャッチクリップ１１５と係合するものである。
【００２３】
（槽１１０の蓋押さえ金具１１４の具体的な構成について）
次に、槽１１０の蓋押さえ金具１１４の詳細な構成を、これに係合する蓋１２０の構成とともに、具体的に説明する。
【００２４】
図４は、図１に示した槽１１０をＹ-Ｙ'線に沿って示す断面図である。なお、この図４は、蓋１２０については、図１に示した蓋１２０のＺ-Ｚ'線に沿った断面を示している。図５は、図４に示した蓋押さえ金具１１４及びその周辺を拡大して示す断面図である。図６は、図４に示したキャッチクリップ１１５及びその周辺を拡大して示す断面図である。
【００２５】
図５を参照すると、蓋押さえ金具１１４は、槽１１０の側面（図５では、槽１１０の側面のうち周縁１１２に隣接した側面１１０Ｌ）を囲むことによりこの外面との間に収容領域５０１を形成している。さらに、蓋押さえ金具１１４は、この収容領域５０１と外部とを連通させる挿入口５０２を形成している。この挿入口５０２は、パッキン１１３に隣接する位置に形成されている。
さらに、蓋押さえ金具１１４は、パッキン１１３の上面１１３ａより高い位置に配置された内面１１４ａを有する。この内面１１４ａは、パッキン１１３の上面１１３ａと略平行に延設されている。この内面１１４ａは、収容領域５０１を囲む内面のうちの１つである。蓋押さえ金具１１４の内面１１４ａとパッキン１１３の上面１１３ａとの間の高さ方向における距離（距離ｄ1）は、蓋１２０の一端１２０Ｅ（すなわち図１に示した蓋１２０の後端１２０Ｅ）の厚さ（厚さｔ1）より小さい（すなわち、ｄ1＜ｔ1）。
【００２６】
蓋１２０の一端（後端）１２０Ｅは、一様な厚さ（厚さｔ1）を有する、すなわち、相互に略平行に延びる平坦な上面１２０Ａ及び下面１２０Ｂを有する。
【００２７】
次に、図６を参照すると、蓋１２０の前面１２０ｂには、受金１２２が例えば溶接やビス止め等により固定されている。受金１２２は、板状に形成された固定部１２２ａと、固定部１２２ａに取り付けられた係合部１２２ｂであって略く字状に形成された係合面１２２ｃを有する係合部１２２ｂと、を含む。
【００２８】
槽１１０の前面１１０ｂには、台座１１９が固定されており、この台座１１９の上にキャッチクリップ１１５が取り付けられている。キャッチクリップ１１５は、台座１１９に固定されたベース部１１５ａと、ベース部１１５ａに中心軸１１５ｂの周りに回動自在に取り付けられた回転部１１５ｃと、回転部１１５ｃの中央に形成された貫通穴１１５ｄに回動自在に取り付けられ、略ロ字状に延びる係合部１１５ｅと、を含む。この構成によれば、キャッチクリップ１１５は、回転部１１５ｃを中心軸１１５ｂの周りに反時計回りに回動させることにより、貫通穴１１５ｄを上方に移動させることになる。貫通穴１１５ｄが上方に移動すると、この貫通穴に取り付けられた係合部１１５ｅもまた、上方に移動する。この状態において、キャッチクリップ１１５は、回転部１１５ｃを中心軸１１５ｂの周りに時計回りに回動させることにより、貫通穴１１５ｄを下方に移動させることになる。貫通穴１１５ｄが下方に移動すると、この貫通穴に取り付けられた係合部１１５ｅもまた、下方に移動することになる。
【００２９】
このような構成を有する蓋押さえ金具１１４及びキャッチクリップ１１５を用いて蓋１２０を槽１１０に装着する方法について、説明する。
【００３０】
まず、図４及び図５に示すように、操作者が、蓋１２０の取手１２１を把持して、蓋１２０の一端１２０Ｅを、蓋押さえ金具１１４の挿入口５０２を通して収容領域５０１に挿入する。具体的には、操作者は、蓋１２０の一端１２０Ｅの下面１２０Ｂをパッキン１１３の上面１１３ａの上に載せた状態で、単に蓋１２０を紙面上左方向に摺動（スライド）させることにより、容易に蓋１２０の一端１２０Ｅを挿入口５０２から収容領域５０１内に挿入することができる。蓋１２０の厚さ（厚さｔ1）が、蓋押さえ金具１１４の内面１１４ａとパッキン１１３の上面１１３ａとの間の距離（距離ｄ1）より大きいため、必然的に、蓋１２０の前端１２０Ｅの下面１２０Ｂとパッキン１１３の上面１１３ａとは、平行とはならず、両者の間に所定の角度が生ずる（例えば図５に示すように約７度）。蓋１２０の一端１２０Ｅが収容領域５０１に収められ、一端１２０Ｅの上面１２０Ａが蓋押さえ金具１１４の内面１１４ａと対向した状態において、操作者は、取手１２１を支える力を弱めることにより蓋１２０を下降させる。これにより、蓋１２０の下面１２０Ｃが槽１１０の底面１１０Ｅと略平行になる、すなわち、槽１１０の開口１１１が蓋１２０により覆われる。
【００３１】
この状態においては、図５に示すように、蓋１２０の下面１２０Ｃがパッキン１１３の上面１１３ａと当接し、さらに蓋１２０がその自重によりパッキン１１３を下方に向かって押圧する。パッキン１１３は、蓋１２０により圧着されることにより収縮させられる。これにより、蓋１２０の一端１２０Ｅの上面１２０Ａが蓋押さえ金具１１４の内面１１４ａと当接する。この状態では、収縮させられたパッキン１１３は、弾性材料により形成されていることにより、蓋１２０の下面１２０Ｃを上方に押圧するので、蓋１２０の一端１２０Ｅの上面１２０Ａが蓋押さえ金具１１４の内面１１４ａを押圧する。別言すれば、蓋押さえ金具１１４の内面１１４ａが、パッキン１１３を押圧した状態の蓋１２０の一端１２０Ｅの上面１２０Ａに当接してこの上面１２０Ａを支持する。
【００３２】
一方、槽１１０の開口１１１が蓋１２０により覆われた状態においては、図６に示すように、蓋１２０の他端（前端）１２０Ｆの下面１２０Ｃもまた、パッキン１１３の上面１１３ａと当接し、さらに蓋１２０がその自重によりパッキン１１３を下方に向かって押圧する。パッキン１１３は、蓋１２０により圧着されることにより収縮させられる。この状態では、蓋１２０の前面１２０ｂに取り付けられた受金１２２は、槽１１０の前面１１０ｂに取り付けられたキャッチクリップ１１５と対向する。図６に示すように、キャッチクリップ１１５の係合部１１５ｅを受金１２２の係合部１２２ｂの係合面１２２ｃに係合させた（引っ掛けた）状態で、キャッチクリップ１１５の回転部１１５ｃを時計回りに回動させることにより、受金１２２の係合部１２２ｂがキャッチクリップ１１５の係合部１１５ｅにより下方に引っ張られる。これにより、蓋１２０の下面１２０Ｃがパッキン１１３をさらに下方に押圧する。
【００３３】
このように、本実施の形態に係る阻集器では、槽１１０の周縁１１２のうち前面１１０ｂに隣接する周縁１１２については、この周縁１１２の上に設けられたパッキン１１３は、槽１１０の前面に取り付けられたキャッチクリップ１１５と蓋１２０の前面１２０ｂに取り付けられた受金１２２とが互いに係合することにより、槽１１０の周縁１１２と蓋１２０の下面１２０Ｃとの間において充分に圧縮されるので、槽１１０の周縁１１２とパッキン１１３との間において、及び、蓋１２０の下面１２０Ｃとパッキン１１３との間において、充分な密着性／圧着性が確保される。
一方、槽１１０の周縁１１２のうち背面１１０ａに隣接する周縁１１２については、槽１１０に取り付けられた蓋押さえ金具１１４が、槽１１０の側面（特に周縁１１２に隣接する側面１１０Ｌ）を囲むことにより収容領域５０１を形成し、この収容領域５０１と外部とを連通させる挿入口５０２をパッキン１１３に隣接するように形成する。さらに、この蓋押さえ金具１１４は、挿入口５０２から蓋１２０を収容領域５０１の内部に受け入れ、収容領域５０１の内部において、パッキン１１３を押圧した状態の蓋１２０の上面１２０Ａに当接してこの上面１２０Ａを支持する。これにより、パッキン１１３は、槽１１０の周縁１１２と蓋１２０の下面１２０Ｂ（１２０Ｃ）との間において充分に圧縮されるので、槽１１０の周縁１１２とパッキン１１３との間において、及び、蓋１２０の下面１２０Ｂ（１２０Ｃ）とパッキン１１３との間において、充分な密着性／圧着性が確保される。
なお、槽１１０の前面１１０ｂに隣接する周縁の上に設けられたパッキン１１３及び背面１１０ａに隣接する周縁の上に設けられたパッキン１１３の両方が、充分に圧着されていることから、槽１１０の右側面１１０ｃ及び左側面１１０ｄのそれぞれに隣接する周縁の上に設けられたパッキン１１３もまた、充分に圧着されることになる。
【００３４】
さらに、操作者が蓋１２０を槽１１０に装着する際には、操作者は、蓋１２０の一端１２０Ｅをパッキン１１３の上に当接させた後、その一端１２０Ｅがパッキン１１３上を摺動（スライド）して蓋押さえ金具１１４の収容領域５０１の内部にまで到達するように、蓋１２０に設けられた取手１２１を把持して蓋１２０を移動させる。この後、操作者は、収容領域５０１の内部に到達した蓋の上面１２０Ａが蓋押さえ金具１１４の内面１１４ａと当接するように、すなわち、蓋１２０の下面１２０Ｃがパッキン１１３の上面１１３ａと当接するように、蓋１２０の取手１２１を操作する（蓋１２０の自重に従って取手１２１を下方に降ろす）。このように、操作者は、槽１１０の前面１１０ｂに対向した状態において、蓋１２０の取手１２１を把持して、蓋１２０を前面１１０ｂから背面１１０ａに向かってスライドさせた後、蓋１２０を下方に降ろす、という操作を行うことにより、蓋１２０を槽１１０に装着することができる。操作者は、槽１１０の前面１１０ｂに対向した位置において、槽１１０に設けられた蓋押さえ金具１１４の挿入口５０２を目視により認識することができるので、蓋１２０を槽１１０に装着する操作を目視により確認しながら実行することができる。
【００３５】
また、図５に示したように、蓋１２０の一端１２０Ｅが蓋押さえ金具１１４の収容領域５０１の内部に挿入された状態においては、蓋１２０の上面１２０Ａ又は下面１２０Ｂとパッキン１１３の上面１１３ａとの間に形成される角度は、約７度程度（５度〜１０度が望ましい）である。このことは、蓋１２０が槽１１０に装着される際に、本実施の形態に係る阻集器１００の上方に必要とされるスペースを抑えることができることを意味する。すなわち、シンクの下方に用意されるスペースが狭い（すなわちスペースの高さが小さい）場合であっても、本実施の形態に係る阻集器１００を配置することができるとともに、蓋１２０の槽１１０に対する装着操作を実行することができる。
【００３６】
このように、本発明によれば、蓋と槽との間の密着性（圧着性）を向上させつつ、蓋を槽に容易に装着することが可能な阻集器を提供することができる。
【００３７】
（実施の形態２）
本実施の形態では、上述した実施の形態１において、蓋押さえ金具１１４の構成及びこれに係合する蓋１２０の構成を変更した場合について、図７及び図８を参照して説明する。  なお、本実施の形態に係る阻集器のうち上述した実施の形態１に係る阻集器と同一の構成については、その詳細な説明を省略する。
【００３８】
図７は、本発明の実施の形態２に係る阻集器の構成を示す断面図である。図８は、図７に示した蓋押さえ金具及びその周辺を拡大して示す断面図である。
【００３９】
図８を参照すると、蓋押さえ金具７００は、槽１１０の外面（すなわち、パッキン１１３の外面、周縁１１２の外面）を囲むことにより、この外面との間に収容領域７０１を形成している。さらに、蓋押さえ金具７００は、この収容領域７０１と外部とを連通させる挿入口７０２を形成している。この挿入口７０２は、パッキン１１３に隣接する位置に形成されている。
さらに、蓋押さえ金具７００は、パッキン１１３の上面１１３ａより高い位置に配置されこの上面１１３ａと略平行に延びる平坦な内面７００ａを有する。この内面７００ａは、収容領域７０１を囲む内面のうちの１つである。
【００４０】
蓋１２０の一端（後端）１２０Ｅは、蓋１２０の下面１２０Ｃに略垂直に延びる起立部１２０Ｇを有する。この起立部１２０Ｇは、平坦な上端面１２０Ｇ1を有する。この上端面１２０Ｇ1は、蓋１２０の下面１２０Ｃと略平行に延びている。この上端面１２０Ｇ1は、蓋１２０の上面の１つに相当するものである。この起立部１２０Ｇの長さｌ1は、蓋押さえ金具７００の内面７００ａとパッキン１１３の上面１１３ａとの間の距離（距離ｄ2）より大きい（すなわち、ｌ1＞ｄ2）。
【００４１】
かかる構成を有する阻集器においては、図７及び図８に示すように、操作者が、蓋１２０の取手１２１を把持して、蓋１２０の一端１２０Ｅを、蓋押さえ金具７００の挿入口７０２を通して収容領域７０１に挿入する。具体的には、操作者は、蓋１２０の下面１２０Ｃをパッキン１１３の上面１１３ａの上に載せた状態で、単に蓋１２０を紙面上左方向に摺動（スライド）させることにより、容易に蓋１２０の起立部１２０Ｇを挿入口７０２から収容領域７０１の内部に挿入することができる。挿入口７０２の高さが蓋１２０の起立部１２０Ｇの高さ（ｌ1）より小さいため、起立部１２０Ｇを挿入口７０２に通す際には、必然的に、蓋１２０の下面１２０Ｃとパッキン１１３の上面１１３ａとは、平行とはならず、両者の間に所定の角度が生ずる（例えば図８に示すように約３０度）。
【００４２】
蓋１２０の起立部１２０Ｇが収容領域７０１に収められ、起立部１２０Ｇの上端面１２０Ｇ1が蓋押さえ金具７００の内面７００ａと対向した状態において、操作者は、取手１２１を支える力を弱めることにより蓋１２０を下降させる。これにより、蓋１２０の下面１２０Ｃが槽１１０の底面１１０Ｅと略平行になる、すなわち、槽１１０の開口１１１が蓋１２０により覆われる。この状態においては、図８に示すように、蓋１２０の下面１２０Ｃがパッキン１１３の上面１１３ａと当接し、蓋１２０の起立部１２０Ｇの上端面１２０Ｇ1が蓋押さえ金具７００の内面７００ａと当接する。起立部１２０Ｇの長さｌ1が、蓋押さえ金具７００の内面７００ａとパッキン１１３の上面１１３ａとの間の距離（距離ｄ2）より大きいため、蓋１２０の下面１２０Ｃがその自重とともにパッキン１１３を下方に向かって押圧する。パッキン１１３は、蓋１２０により圧着されることにより収縮させられる。この状態では、収縮させられたパッキン１１３は、弾性材料により形成されていることにより、蓋１２０の下面１２０Ｃを上方に押圧するので、蓋１２０の起立部１２０Ｇの上端面１２０Ｇ1が蓋押さえ金具７００の内面７００ａを押圧する。別言すれば、蓋押さえ金具７００の内面７００ａが、パッキン１１３を押圧した状態の蓋１２０の起立部１２０Ｇの上端面１２０Ｇ1に当接してこの上端面１２０Ｇ1を支持する。
【００４３】
（実施の形態３）
本実施の形態では、上述した実施の形態１において、蓋押さえ金具１１４の構成及びこれに係合する蓋１２０の構成を変更した場合について、図９及び図１０を参照して説明する。なお、本実施の形態に係る阻集器のうち上述した実施の形態１に係る阻集器と同一の構成については、その詳細な説明を省略する。
【００４４】
図９は、本発明の実施の形態３に係る阻集器の構成を示す断面図である。なお、図９には、蓋１２０の取手１２１の表現が省略されている。図１０は、図９に示した蓋押さえ金具及びその周辺を拡大して示す断面図である。
【００４５】
図１０を参照すると、蓋押さえ金具９００は、槽１１０の外面（すなわち、パッキン１１３の外面、周縁１１２の外面）を囲むことにより、この外面との間に収容領域９０１を形成している。さらに、蓋押さえ金具９００は、この収容領域９０１と外部とを連通させる挿入口９０２を形成している。この挿入口９０２は、パッキン１１３に隣接する位置に形成されている。さらに、蓋押さえ金具９００は、パッキン１１３の上面１１３ａより低い位置に配置されこの上面１１３ａと略平行に延びる平坦な端面９００ａを有する。
蓋１２０の一端（後端）１２０Ｅは、蓋１２０の下面１２０Ｃに交差する方向に延びる連絡部１２０Ｈと、この連絡部１２０Ｈと略垂直に延びる係合部１２０Ｉと、を含む。
【００４６】
かかる構成を有する阻集器においては、図９及び図１０に示すように、操作者が、まず、蓋１２０の取手１２１（図示は省略されている）を把持して、係合部１２０Ｉの下面１２０Ｉ1が蓋押さえ金具９００の挿入口９０２と対向するように、蓋１２０を移動させる（位置Ｐ1）。
次に、蓋１２０の一端１２０Ｅの下面１２０Ｃがパッキン１１３と当接するように、操作者が、蓋１２０を下方に降ろす（位置Ｐ2）。このとき、係合部１２０Ｉの端面１２０Ｉ3は、蓋押さえ金具９００の内面９００ｂと対向する。この状態においては、蓋１２０の下面１２０Ｃとパッキン１１３の上面１１３ａとの間には、約１０度の角度が形成される。
さらに、係合部１２０Ｉの端面１２０Ｉ3が蓋押さえ金具９００の内面９００ｂと当接するまで、操作者は、蓋１２０を前方向に（すなわち紙面上左方向に）押し進めた後、蓋１２０の下面１２０Ｃがパッキン１１３の上面１１３ａと当接するように、操作者は、蓋１２０を下方に降ろす（位置Ｐ3）。これにより、槽１１０の開口１１１が蓋１２０により覆われる。この状態においては、図１０に示すように、蓋１２０の下面１２０Ｃがパッキン１１３の上面１１３ａと当接し、蓋１２０の係合部１２０Ｉの上面１２０Ｉ2が蓋押さえ金具９００の端面９００ａと当接する。
ここで、係合部１２０Ｉの上面１２０Ｉ2が蓋押さえ金具９００の端面９００ａに当接し、係合部１２０Ｉの端面１２０Ｉ3が蓋押さえ金具９００の内面９００ｂに当接した状態における、蓋１２０の下面１２０Ｃと周縁１１２の上面１１２ａとの間の距離が、パッキン１１３の厚さより小さくされている。よって、蓋１２０の下面１２０Ｃがその自重とともにパッキン１１３を下方に向かって押圧する。パッキン１１３は、蓋１２０により圧着されることにより収縮させられる。この状態では、収縮させられたパッキン１１３は、弾性材料により形成されていることにより、蓋１２０の下面１２０Ｃを上方に押圧するので、蓋１２０の係合部１２０Ｉの上面１２０Ｉ2が蓋押さえ金具９００の端面９００ａを押圧する。換言すれば、蓋押さえ金具９００の端面９００ａが、パッキン１１３を押圧した状態の蓋１２０の係合部１２０Ｉの上面１２０Ｉ2に当接してこの上面１２０Ｉ2を支持する。
【符号の説明】
【００４７】
１１０  槽
１１１  開口
１１２  周縁
１１３  パッキン
１１４、７００、９００  蓋押さえ金具（支持手段）
１１４ａ、７００ａ  内面
１２０  蓋
１２０Ｇ  起立部
１２０Ｈ  連絡部
１２０Ｉ  係合部
１２０Ｉ１  係合部の下面
１２０Ｉ２  係合部の上面
１２０Ｉ３  係合部の端面
５０１、７０１、９０１  収容領域
５０２、７０２、９０２  挿入口
９００ａ  端面
【図１】
2010248824.tif 000003
【図２】
2010248824.tif 000004
【図３】
2010248824.tif 000005
【図４】
2010248824.tif 000006
【図５】
2010248824.tif 000007
【図６】
2010248824.tif 000008
【図７】
2010248824.tif 000009
【図８】
2010248824.tif 000010
【図９】
2010248824.tif 000011
【図１０】
2010248824.tif 000012